(57)【要約】【課題】フリーアクセスフロアの施工作業において、接着剤を使用して支持脚の各部を固定する作業を一工程で行うことにより、作業の効率を向上させることができるようにした、フリーアクセスフロアパネルの支持脚を提供する。【解決手段】基礎床１の上に立設される脚部２０と、脚部２０の上端部に設けられた支持部材２４と、を備えたフリーアクセスフロアパネルの支持脚１８であって、脚部２０には、その上端部から下端部まで連通する接着剤導入経路２２ｂが形成され、支持部材２４には、その上端部側に開口し、脚部２０の接着剤導入経路２２ｂと、支持脚１８と支持部材２４の結合部分のそれぞれに連通する接着剤の注入口が形成されるようにした。【選択図】図８
2019167700.tif 000002
【特許請求の範囲】
【請求項１】
基礎床の上に立設される脚部と、前記脚部の上端部に設けられた支持部材と、を備えたフリーアクセスフロアパネルの支持脚であって、
前記脚部には、その上端部から下端部まで連通する接着剤導入経路が形成され、
前記支持部材には、その上端部側に開口し、前記脚部の前記接着剤導入経路と、前記支持脚と前記支持部材の結合部分のそれぞれに連通する接着剤の注入口が形成された
ことを特徴とするフリーアクセスフロアパネルの支持脚。
【請求項２】
前記脚部は、前記基礎床の上に載置される板状のベースプレートと、
前記ベースプレートの中央から上方向に伸びるように立設され、その上端部から下端部まで伸びる軸孔が形成された丸棒状の支柱と、を備え、
前記支持部材は、その下端部に上下方向に軸孔を有する略円筒形状の下ボス部を有する下側部材と、
前記下ボス部の軸孔と連通し、上端部側に開口する前記接着剤の注入口が形成された上側部材と、を備えた
ことを特徴とする請求項１に記載のフリーアクセスフロアパネルの支持脚。
【請求項３】
前記脚部の前記支柱には、その軸線方向の上端部寄りの位置に、前記支柱の軸線方向と垂直方向に伸びる水平孔が形成され、
前記水平孔は、その長さ方向の一方の端部が前記支柱の側面に開口すると共に、その長さ方向の他方の端部が前記支柱の軸孔と連通する
ことを特徴とする請求項２に記載のフリーアクセスフロアパネルの支持脚。
【請求項４】
前記脚部の前記ベースプレートには、その断面形状が、前記ベースプレートの下面が上面側に向けて凹んだ凹形状の底面凹部が形成された
ことを特徴とする請求項２又は３に記載のフリーアクセスフロアパネルの支持脚。
【請求項５】
前記ベースプレートには、その厚さ方向に貫通して前記ベースプレートの下面側を覗くための確認窓部が形成された
ことを特徴とする請求項２から４のいずれかに記載のフリーアクセスフロアパネルの支持脚。
【請求項６】
前記支柱の下端部に、前記支柱の軸孔と前記支柱の外側とを連通させる連通部が形成された
ことを特徴とする請求項２から５のいずれかに記載のフリーアクセスフロアパネルの支持脚。
【発明の詳細な説明】
【技術分野】
【０００１】
本発明は、フリーアクセスフロアを構成するために用いられる、複数のフロアパネルを建築構造物の鉄筋コンクリート床の上方に空間を隔てて支持するためのフリーアクセスフロアパネルの支持脚に関するものである。
【背景技術】
【０００２】
建築構造物の鉄筋コンクリート床の上方に空間を隔てて第２の床を形成するフリーアクセスフロア構造においては、鉄筋コンクリート床の上に立設される複数の支持脚によって、上記第２の床を構成する複数のフロアパネルが支持されていた（例えば、特許文献１参照）。
【０００３】
図１０ないし図１３は、従来のフリーアクセスフロアパネルの支持脚２について説明するために、参照する図である。
【０００４】
従来のフリーアクセスフロア構造３においては、図１０及び図１１に示すように、建築構造物の鉄筋コンクリートの基礎床１の上に支持脚２が立設され、この支持脚２に設けられた支持部材によってフロアパネル４が下側から支持されていた。
【０００５】
フリーアクセスフロア構造３を構成するフロアパネル４は、図１２に示すように、上面６ａを有する板状に形成された天板６と、この天板６の上面６ａと略同一形状の底面８ａと、側板部８ｂを有することにより箱状に形成された底板８と、これらの天板６と底板８が上下に合わさって形成されたフロアパネル４の内部空間に配置された補強部材１０を備えて構成されていた。
【０００６】
フロアパネル４の天板６は、図１２（ａ）に示すように、平面形状が略正方形の板状に形成され、フロアパネル４の底板８は、図１２（ｂ）に示すように、天板６の上面６ａに平行、かつ略同一形状に形成された底面８ａと、底面８ａの周縁部から図中上方に向かって直角に折れ曲がって立ち上がる側板部８ｂと、この側板部８ｂの上端部から水平方向（図中左右方向）の外側に向かって直角に折れ曲がって伸びるフランジ部８ｃから構成され、この底板８は水平方向において側板部８ｂより中央側の上方が開放された箱状に形成されていた。
【０００７】
これらの天板６と底板８は、図１２（ｂ）の右上部に示すように、天板６の周縁部の下面が底板８のフランジ部８ｃの上面に接触するように配置され、この接触している部分の両部材を溶接やカシメ等により接合することにより、底板８と天板６が一体的に結合されていた。
【０００８】
そして、天板６と底板８に囲まれたフロアパネル４の内部空間には、図１２（ｂ）に示すように、所定の厚さを有し、平面形状が底板８の底面８ａと略同様の（略正方形の）板状に形成された、補強部材１０が充填するように配置されていた。
【０００９】
フロアパネル４の四隅部には、図１２（ａ）に示すように、その平面形状がフロアパネル４の四隅部のそれぞれの角の位置を中心点とする円を四分割したような、四分の一円弧形状の段差部４ａがそれぞれ形成されていた。
【００１０】
これらの段差部４ａは、図１２（ｂ）の左上部に示すように、フロアパネル４の天板６の上面６ａや底板８の底面８ａに平行、かつ天板６の上面６ａより高さ位置が低くなるように形成されていた。
【００１１】
このようなフロアパネル４は、例えば、天板６と底板８が鋼板材により形成されると共に、補強部材１０は、木材を小さな木片に砕いて乾燥させて接着剤を加えて高温高圧の下で成形したパーティクルボードにより形成されていた。
【００１２】
このようなフロアパネル４を支持するための支持脚２は、図１０に示すように、鉄筋コンクリートの基礎床１の上に立設される脚部１２と、脚部１２の上部に設けられた調整台１４（支持部材）を備えていた。
【００１３】
支持脚２の脚部１２は、図１０に示すように、基礎床１の上に載置された板状のベースプレート１２ａと、このベースプレート１２ａの上面の中央から図中上方向に伸びるように立設された棒状の支柱１２ｂを備え、この支柱１２ｂの外周にはオネジ部１２ｃが形成されていた。
【００１４】
支持脚２の調整台１４は、図１０に示すように、図中上下方向に軸線を有する円筒状に形成された下ボス部１４ａと、下ボス部１４ａの円周面の上端部からその半径方向（水平方向）の外側に向けて放射状に広がる、円板状（図１１参照）に形成されたパネル支持部１４ｃと、このパネル支持部１４ｃの上面の中央から図中上方向に突出する、下ボス部１４ａの軸線と同一軸線上にその軸線を有する、円筒状に形成された上ボス部１４ｂを備えていた。
【００１５】
調整台１４の下ボス部１４ａには、図１０に示すように、その円筒形状の内側の面にメネジ部１４ｄが形成されており、このメネジ部１４ｄに対して脚部１２の支柱１２ｂに形成されたオネジ部１２ｃが下側からネジ結合されていた。
【００１６】
そして、調整台１４の下ボス部１４ａに、脚部１２の支柱１２ｂがネジ結合した状態で、そのネジの螺旋軌跡に沿って調整台１４を支柱１２ｂに対して相対回転させることによって、調整台１４のパネル支持部１４ｃの基礎床１からの高さ位置を調整することができるように構成されていた。
【００１７】
そして、調整台１４のパネル支持部１４ｃの基礎床１からの高さ位置が所望の高さに調整された状態で、図１０に示すように、調整台１４の下ボス部１４ａの側面に開口するネジ孔１４ｆに高さ固定ボルト１５をネジ結合し、この高さ固定ボルト１５をその先端部が脚部１２の支柱１２ａに向かって進むように、ネジ結合部を締め付けることによって、調整台１４のパネル支持部１４ｃの高さ位置が固定されるようになっていた。
【００１８】
調整台１４のパネル支持部１４ｃには、図１０に示すように、その上面に平坦かつ基礎床１と平行な支持面１４ｇが形成されており、図１１に示すように、フロアパネル４の四隅部のいずれか１つが支持面１４ｇの上に載置されるようになっていた。
【００１９】
そして、１つの支持脚２には、最大で４つのフロアパネル４がそれぞれの四隅部の１つを互いに突き合わせるように配置された状態で、その支持面１４ｇの上に載置され、他の四隅部を他の支持脚２により支持することにより、これらのフロアパネル４の底板８の底面８ａを調整台１４のパネル支持部１４ｃにより支持することができるように構成されていた。
【００２０】
調整台１４の上ボス部１４ｂには、図１０に示すように、その円筒形状の内側の面にメネジ部１４ｅが形成されており、このメネジ部１４ｅにパネル固定部材１６がネジ結合されていた。
【００２１】
パネル固定部材１６は、図１０に示すように、所定の厚さを有し、図１１に示すように、平面形状が円形に形成された円板状の皿頭部１６ａと、この皿頭部１６ａの下面の中央から下方に突出する丸棒状の軸部１６ｂを備えている。皿頭部１６ａの上面の中央にはプラス溝形状の工具係合部１６ｄ（図１１参照）が形成されると共に、軸部１６ｂの外周にはオネジ部１６ｃが形成されており、この軸部１６ｂに形成されたオネジ部１６ｃが、調整台１４の上ボス部１４ｂに形成されたメネジ部１４ｅにネジ結合されていた。
【００２２】
そして、図１１に示すように、フロアパネル４の四隅部の１つがパネル支持部１４ｃの支持面１４ｇの上に載置された状態で、パネル固定部材１６を調整台１４の上ボス部１４ｂにネジ結合させ、このネジ結合部を締め付けることにより、パネル固定部材１６の皿頭部１６ａの下面がフロアパネル４の段差部４ａに接触し、これを調整台１４のパネル支持部１４ｃに向って下方向に押圧することにより、フロアパネル４の四隅部が調整台１４のパネル支持部１４ｃとパネル固定部材１６の皿頭部１６ａとの間に挟まれて動かないように固定されていた（図１０参照）。
【００２３】
このような従来のフリーアクセスフロアパネルの支持脚２を用いたフリーアクセスフロア構造３においては、図１３に示すように、実際のフリーアクセスフロアの施工作業において、フロアパネル４をより安定した状態で確実に支持することができるようにするために、接着剤を用いて支持脚２の各部を固定する作業が行われていた。
【００２４】
例えば、図１３（ａ）に示すように、支持脚２を基礎床１の上に設置する際には、基礎床１の上の所定の位置に設置した支持脚２が、その設置位置から移動しないように、支持脚２の脚部１２のベースプレート１２ａの下面に接着剤Ｇ１を塗布し、ベースプレート１２ａと基礎床１を接着することにより、支持脚２を基礎床１の上に固定していた。
【００２５】
また、調整台１４と脚部１２のネジ結合部にガタツキが生じたり、これらのネジ結合部が緩んだりしないように、支持脚２の調整台１４のパネル支持部１４ｃの基礎床１からの高さを調整した後で、調整台１４の上ボス部１４ｂの軸孔の上端部側の開口部から接着剤Ｇ２を注入していた（図１３（ｂ）参照）。
【００２６】
これにより、注入された接着剤Ｇ２が、調整台１４の下ボス部１４ａと脚部１２の支柱１２ｂがネジ結合するネジ結合部の上端部から、それぞれの部材の間の隙間に流れ込み、この接着剤Ｇ２が硬化することによって、調整台１４と脚部１２のネジ結合部を固定していた（図１３（ｂ）参照）。
【先行技術文献】
【特許文献】
【００２７】
【特許文献１】特開２００８−００２１２６号公報
【発明の概要】
【発明が解決しようとする課題】
【００２８】
しかしながら、上述したような従来のフリーアクセスフロアパネルの支持脚を用いたフリーアクセスフロア構造においては、フリーアクセスフロアの施工作業における、接着剤を用いて支持脚の各部を固定する作業が、２つの工程に別れているため、作業効率が低下してしまうという問題があった。
【００２９】
すなわち、従来のフリーアクセスフロアの施工作業においては、基礎床１の上に支持脚２を設置する工程と、支持脚２の調整台１４の高さを調整する工程の２つの工程において、それぞれ接着剤を使用して作業を行っていた。
【００３０】
また、基礎床の上に支持脚を設置する際には、予め、接着剤を塗布せずに支持脚を基礎床の上に設置して位置決めを行い、それから、設置された支持脚を持ち上げて接着剤を塗布し、基礎床の上の所定の位置に戻していたため、接着剤を塗布した後に支持脚の位置が位置決めを行った位置からずれないように、慎重に設置作業を行う必要があった。
【００３１】
また、接着剤を使用した後は、接着剤が硬化するまで一定時間待つ必要があるため、接着剤を用いる作業の工程の数が増えると、その分だけ接着剤が硬化するまでの待ち時間が増加していた。
【００３２】
以上のように、接着剤を使用する作業の工程の数が増えると、その分だけ作業時間や硬化のための待ち時間が増加するため、結果として、全体の作業時間が増大して、作業効率の低下を招いていた。
【００３３】
そこで本発明は、上記問題点に鑑みて、フリーアクセスフロアの施工作業において、接着剤を使用して支持脚の各部を固定する作業を一工程で行うことにより、作業の効率を向上させることができるようにした、フリーアクセスフロアパネルの支持脚を提供することを課題とするものである。
【課題を解決するための手段】
【００３４】
上記課題を解決するために、本発明によるフリーアクセスフロア構造のパネル固定部材は、
基礎床の上に立設される脚部と、前記脚部の上端部に設けられた支持部材と、を備えたフリーアクセスフロアパネルの支持脚であって、
前記脚部には、その上端部から下端部まで連通する接着剤導入経路が形成され、
前記支持部材には、その上端部側に開口し、前記脚部の前記接着剤導入経路と、前記支持脚と前記支持部材の結合部分のそれぞれに連通する接着剤の注入口が形成されたことを特徴とするものである。
【００３５】
また、本発明によるフリーアクセスフロアパネルの支持脚は、
前記脚部は、前記基礎床の上に載置される板状のベースプレートと、
前記ベースプレートの中央から上方向に伸びるように立設され、その上端部から下端部まで伸びる軸孔が形成された丸棒状の支柱と、を備え、
前記支持部材は、その下端部に上下方向に軸孔を有する略円筒形状の下ボス部を有する下側部材と、
前記下ボス部の軸孔と連通し、上端部側に開口する前記接着剤の注入口が形成された上側部材と、を備えたことを特徴とするものである。
【００３６】
また、本発明によるフリーアクセスフロアパネルの支持脚は、
前記脚部の前記支柱には、その軸線方向の上端部寄りの位置に、前記支柱の軸線方向と垂直方向に伸びる水平孔が形成され、
前記水平孔は、その長さ方向の一方の端部が前記支柱の側面に開口すると共に、その長さ方向の他方の端部が前記支柱の軸孔と連通することを特徴とするものである。
【００３７】
また、本発明によるフリーアクセスフロアパネルの支持脚は、
前記脚部の前記ベースプレートには、その断面形状が、前記ベースプレートの下面が上面側に向けて凹んだ凹形状の底面凹部が形成されたことを特徴とするものである。
【００３８】
また、本発明によるフリーアクセスフロアパネルの支持脚は、
前記ベースプレートには、その厚さ方向に貫通して前記ベースプレートの下面側を覗くための確認窓部が形成されたことを特徴とするものである。
【００３９】
また、本発明によるフリーアクセスフロアパネルの支持脚は、
前記支柱の下端部に、前記支柱の軸孔と前記支柱の外側とを連通させる連通部が形成されたことを特徴とするものである。
【発明の効果】
【００４０】
このような本発明のフリーアクセスフロアパネルの支持脚によれば、
基礎床の上に立設される脚部と、前記脚部の上端部に設けられた支持部材と、を備えたフリーアクセスフロアパネルの支持脚であって、
前記脚部には、その上端部から下端部まで連通する接着剤導入経路が形成され、
前記支持部材には、その上端部側に開口し、前記脚部の前記接着剤導入経路と、前記支持脚と前記支持部材の結合部分のそれぞれに連通する接着剤の注入口が形成されたことにより、
フリーアクセスフロアの施工作業において、接着剤を使用して支持脚の各部を固定する作業を一工程で行うことにより、作業の効率を向上させることができる。
【図面の簡単な説明】
【００４１】
【図１】本発明の一実施の形態に係るフリーアクセスフロアパネルの支持脚１８の正面図である。
【図２】図１に示す支持脚１８の上面図である。
【図３】図１に示す支持脚１８の脚部２０を示す図であり、図３（ａ）はその上面図であり、図３（ｂ）はその正面図である。
【図４】支持脚１８の脚部２０を示す図であり、図４（ａ）は図３（ａ）におけるＢ−Ｂ線矢視断面図であり、図４（ｂ）は図３（ａ）におけるＣ−Ｃ線矢視断面図である。
【図５】図１に示す支持脚１８の調整台２４を示す図であり、図５（ａ）はその上面図であり、図５（ｂ）はその正面図である。
【図６】支持脚１８の調整台２４を示す図であり、図６（ａ）は図５（ａ）におけるＤ−Ｄ線矢視断面図であり、図６（ｂ）は上側部材２５と下側部材２６が分離した状態の調整台２４を示す側面図である。
【図７】支持脚１８の上ボス部２５ａに取り付けられるパネル固定部材３０を示す図であり、図７（ａ）はその上面図であり、図７（ｂ）は図７（ａ）におけるＥ−Ｅ線矢視断面図である。
【図８】支持脚１８を示す図であり、図２におけるＡ−Ａ線矢視断面図である。
【図９】本実施の形態に係るフリーアクセスフロアパネルの支持脚１８を用いたフリーアクセスフロアの施工作業において、図８に示す支持脚１８の各部を、接着剤を用いて固定する手順を説明するための概略断面図である。
【図１０】従来のフリーアクセスフロアパネルの支持脚２を用いたフリーアクセスフロア構造３の一部を示す概略側面図である。
【図１１】図１０に示す従来のフリーアクセスフロアパネルの支持脚２を用いたフリーアクセスフロア構造３の一部を示す概略上面図である。
【図１２】フロアパネル４を示す図であり、図１２（ａ）はその平面図であり、図１２（ｂ）はその一部を省略して拡大した一部破断側面図である。
【図１３】従来のフリーアクセスフロアパネルの支持脚２を用いたフリーアクセスフロアの施工作業において、支持脚２の各部を、接着剤を用いて固定する手順を説明するための概略断面図である。
【発明を実施するための形態】
【００４２】
以下、本発明に係るフリーアクセスフロアパネルの支持脚を実施するための形態について、図面に基づいて具体的に説明する。
【００４３】
図１ないし図９は、本発明の一実施の形態に係るフリーアクセスフロアパネルの支持脚１８について説明するために参照する図である。なお、前記従来のフリーアクセスフロアパネルの支持脚２と同様の部分には同じ符号を付して説明し、従来と同様の構成についての重複する説明は一部を除き省略する。
【００４４】
本実施の形態に係るフリーアクセスフロアパネルの支持脚１８は、図１及び図２に示すように、鉄筋コンクリートの基礎床１の上に立設される脚部２０と、脚部２０の上部に設けられた調整台２４（支持部材）を備えている。
【００４５】
支持脚１８の脚部２０は、図１及び図３（ｂ）に示すように、基礎床１の上に載置される板状のベースプレート２１と、ベースプレート２１の上面の中央から図中上方向に伸びるように立設された丸棒状の支柱２２を備えている。
【００４６】
脚部２０のベースプレート２１は、図３（ａ）に示すように、平面形状が略正方形の板状に形成され、その略中央部には、平面形状が略円形に形成された中央凹部２１ａ（底面凹部）が形成されると共に、この中央凹部２１ａからベースプレート２１の四隅部へ向けて放射状に伸びるように形成された４つの放射凹部２１ｂ（底面凹部）が形成されている。
【００４７】
これら中央凹部２１ａ及び放射凹部２１ｂは、図４（ａ），（ｂ）に示すように、その断面形状が、板状のベースプレート２１の下面が上面側に向けて凹むようにプレスされて形成されている。そして、それぞれの放射凹部２１ｂのベースプレート２１の下面側に形成された凹形状の空間部分が、放射凹部２１ｂの中央凹部２１ａ側の端部において、中央凹部２１ａのベースプレート２１の下面側に形成された凹形状の空間部分と、互いに連通するように形成されている。
【００４８】
また、図３（ａ）に示すように、ベースプレート２１の、中央凹部２１ａや放射凹部２１ｂが形成されていない板部には、平面形状が円形に形成された４つの確認窓部２１ｃが形成されている。これらの確認窓部２１ｃは、略正方形に形成されたベースプレート２１の４つの辺部の長さ方向の略中央部の近傍の位置に、図４（ａ）に示すように、ベースプレート２１をその厚さ方向に貫通して形成されている。
【００４９】
脚部２０の支柱２２は、図３（ｂ）に示すように、図中上下方向に軸線を有する丸棒状に形成され、その外周にはオネジ部２２ａが形成されている。
【００５０】
支柱２２の中心軸部分には、図４（ａ），（ｂ）に示すように、支柱２２を長さ方向（軸線方向）にその上端部から下端部まで貫通する、断面が円形に形成された軸孔２２ｂが形成されている。
【００５１】
また、支柱２２の長さ方向の上端部寄りの位置には、図４（ａ）に示すように、支柱２２の軸線と垂直方向（水平方向）に伸びる２つの水平孔２２ｃ，２２ｃが形成されている。これら２つの水平孔２２ｃ，２２ｃは、図４（ａ）に示すように、支柱２２の軸線と直交する同一の軸線上に形成され、それぞれの長さ方向の一方の端部が支柱２２の軸線を挟んで対向する両側面にそれぞれ開口すると共に、それぞれの長さ方向の他方の端部が支柱２２の軸孔２１ｂと連通するように形成されている。
【００５２】
このような支柱２２は、図３（ａ），（ｂ）に示すように、ベースプレート２１の略中央から上方向に伸びるように立設されており、図４（ａ），（ｂ）に示すように、支柱２２の下端部がベースプレート２１の中央凹部２１ａを貫通して、支柱２２の軸孔２２ｂの下端部がベースプレート２１の下面側に開口するように、ベースプレート２１に結合されている。
【００５３】
このとき、図４（ａ），（ｂ）に示すように、支柱２２の下端面は、その軸線方向（図中上下方向）の高さ位置が、ベースプレート２１の下面よりわずかに上方に配置されるように、ベースプレート２１に結合されているため、脚部２０を基礎床１に設置した場合に、支柱２２の下端面と基礎床１の間にわずかな隙間が形成されるようになっている。
【００５４】
これにより、支柱２２の軸孔２２ｂが、その下端部において、ベースプレート２１の中央凹部２１ａや放射凹部２１ｂの、ベースプレート２１の下面側に形成された凹形状の空間部分と連通するように構成されている。
【００５５】
このような脚部２０においては、そのベースプレート２１や支柱２２は、例えば、鋼材により形成され、両部材を溶接やカシメ等により接合することにより、ベースプレート２１と支柱２２が一体的に結合されている。
【００５６】
支持脚１８の調整台２４は、図５（ｂ）及び図６（ｂ）に示すように、上側部材２５と下側部材２６を備え、これらが上下に組み合わさって形成されている。
【００５７】
調整台２４の上側部材２５は、図６（ａ），（ｂ）に示すように、図中上下方向に軸線を有する円筒状に形成された上ボス部２５ａと、上ボス部２５ａの円周面の下端部からその径方向（水平方向）の外側に向けて放射状に広がる板状（図５（ａ）参照）のパネル支持部２５ｂを備えており、円筒形状に形成された上ボス部２５ａの円周面には、その軸線方向の上端部側に伸びた長さ部分には、オネジ部２５ｃが形成されている。
【００５８】
上側部材２５のパネル支持部２５ｂは、図５（ａ）に示すように、その平面形状が外周縁部に４つの円弧部と４つの直線部を有する異形円環状で、かつ板状に形成されている。そして、パネル支持部２５ｂの外周縁部には、図６（ａ）に示すように、外周縁部から図中下方向に垂下する縁部２５ｄが形成されている。
【００５９】
調整台２４の下側部材２６は、図６（ａ），（ｂ）に示すように、図中上下方向に軸線を有する円筒状に形成された下ボス部２６ａと、下ボス部２６ａの上端部に設けられた、下ボス部２６ａの上端部からその径方向（水平方向）の外側に向けて放射状に広がる板状の受板部２６ｂを有しており、円筒形状に形成された下ボス部２６ａの軸孔側の内側の面には、その軸線方向の長さ部分の上端部から下端部まで連続して、メネジ部２６ｃが形成されている。
【００６０】
下側部材２６の受板部２６ｂは、その平面形状が、上側部材２５のパネル支持部２５ｂと略同一の形状だが、パネル支持部２５ｂよりわずかに小さな異形円環状で、かつ板状に形成されている。そして、受板部２６ｂの外周縁部には、図６（ａ）に示すように、外周縁部から図中下方向に垂下する縁部２６ｄが形成されている。
【００６１】
このような上側部材２５と下側部材２６は、図６（ａ），（ｂ）に示すように、上側部材２５のパネル支持部２５ｂの下面と下側部材２６の受板部２６ｂの上面が互いに対向し、上側部材２５のパネル支持部２５ｂの縁部２５ｄの内側に、下側部材２６の受板部２６ｂが配置されるように、上下に組み合わされている。
【００６２】
これにより、図６（ａ）に示すように、それぞれが円筒形状に形成された上側部材２５の上ボス部２５ａの軸孔と下側部材２６の下ボス部２６ａの軸孔が、互いに連通するように構成されている。
【００６３】
このような調整台２４においては、その下側部材２６は、フロアパネル４（図１０参照）や、その上に設置される様々な機器を支持するための十分な強度を有する材料、例えば、鋼材により形成されると共に、その上側部材２５は、その上に載置されたフロアパネル４のガタツキやそれに伴う騒音を防止するために、ある程度の弾力性を有する材料、例えば、合成樹脂材料により形成されている。
【００６４】
そして、図１及び図８に示すように、このような調整台２４の、下側部材２６の下ボス部２６ａに形成されたメネジ部２６ｃに対して、脚部２０の支柱２２に形成されたオネジ部２２ａが下側からネジ結合されている。
【００６５】
そして、調整台２４の下側部材２６のボス部２６ａに、脚部２０の支柱２２がネジ結合した状態で、そのネジの螺旋軌跡に沿って調整台２４を支柱２２に対して相対回転させることによって、調整台２４のパネル支持部２５ｂの基礎床１からの高さ位置を調整することができるように構成されている。
【００６６】
そして、調整台２４の上側部材２５のパネル支持部２５ｂの、基礎床１からの高さ位置が所望の高さに調整された状態で、図８に示すように、調整台２４の下側部材２６の下ボス部２６ａの側面に開口するネジ孔２６ｅに高さ固定ボルト２８をネジ結合し、この高さ固定ボルト２８をその先端部が脚部２０の支柱２２に向かって進むように、ネジ結合部を締め付けることによって、上側部材２５のパネル支持部２５ｂの高さ位置が固定されるようになっている。
【００６７】
調整台２４の上側部材２５のパネル支持部２５ｂには、図１に示すように、その上面に平坦かつ基礎床１と平行な支持面２５ｅが形成されており、図１０，１１に示すような従来の支持脚２と同様に、フロアパネル４の四隅部のいずれか１つが支持面２５ｅの上に載置されるようになっている。
【００６８】
そして、図１０に示すような従来の支持脚２と同様に、１つの支持脚１８には、最大で４つのフロアパネル４がそれぞれの四隅部の１つずつを、互いに突き合わせるように配置された状態でその支持面２５ｅの上に載置され、他の四隅部を他の支持脚１８により支持することにより、これらのフロアパネル４の底面８ａを上側部材２５のパネル支持部２５ｂにより支持することができるように構成されている。
【００６９】
そして、調整台２４の上側部材２５のパネル支持部２５ｂに載置されたフロアパネルを固定するために、図７に示すような、パネル固定部材３０が調整台２４の上側部材２５の上ボス部２５ａに形成されたオネジ部２５ｃにネジ結合されるようになっている。
【００７０】
パネル固定部材３０は、図７（ｂ）に示すように、所定の厚さを有し、図７（ａ）に示すように、平面形状が円形に形成された板状の皿頭部３０ａと、図７（ｂ）に示すように皿頭部３０ａの軸線と同一軸線上に伸びる軸線を有し、皿頭部３０ａの下面から下方向に突出する円筒形状の筒部３０ｂとを備えている。
【００７１】
そして、パネル固定部材３０は、図７（ａ）に示すように、その皿頭部３０ａの上面の中央部にマイナス溝形状の工具係合部３０ｄが形成されると共に、図７（ｂ）に示すように、その筒部３０ｂの内側にメネジ部３０ｃが形成されている。
【００７２】
このようなパネル固定部材３０が、調整台２４の上側部材２５の上ボス部２５ａのオネジ部２５ｃに対して、パネル固定部材３０の筒部３０ｂの内側に形成されたメネジ部３０ｃが上側からネジ結合することができるように構成されている。
【００７３】
そして、図１０に示すような従来の支持脚２と同様に、フロアパネル４の四隅部が支持脚１８のパネル支持部２５ｂの支持面２５ｅの上に載置された状態で、パネル固定部材３０を調整台２４の上ボス部２５ａにネジ結合させ、このネジ結合部を締め付けることにより、パネル固定部材３０の皿頭部３０ａの下面がフロアパネル４の段差部４ａに接触し、これを調整台２４のパネル支持部２５ｂに向って下方向に押圧することにより、フロアパネル４の四隅部が調整台２４のパネル支持部２５ｂとパネル固定部材３０の皿頭部３０ａとの間に挟まれて動かないように固定されるよう構成されている。
【００７４】
次に、このような本実施の形態に係るフリーアクセスフロアパネルの支持脚１８を用いたフリーアクセスフロア構造において、実際のフリーアクセスフロアの施工作業における、接着剤を使用して支持脚１８の各部を固定する作業の手順を説明する。
【００７５】
まず、基礎床１の床面における支持脚１８の設置位置の位置決めを行い、複数の支持脚１８を基礎床１の上の所定の設置位置に設置する。
【００７６】
そして、これら複数の支持脚１８によって支持される複数のフロアパネル４の、それぞれの天板６の上面６ａの高さが揃って平坦な床面が形成されるように、設置された複数の支持脚１８それぞれの調整台２４の高さを調整する。
【００７７】
上記の作業が完了したら、接着剤を用意し、支持脚１８の調整台２４の上側部材２５の上ボス部２５ａの軸孔の上端部側の開口部を接着剤の注入口として、そこから接着剤Ｇを注入する（図９（ａ）参照）。
【００７８】
注入された接着剤Ｇは、調整台２４の上側部材２５の上ボス部２５ａの軸孔から、下側部材２６の下ボス部２６ａの軸孔を通って、下側部材２６の下ボス部２６ａにネジ結合された脚部２０の支柱２２の上端部に達し、支柱２２に形成された軸孔２２ｂに流れ込む。そして、この軸孔２２ｂを接着剤の導入経路として、軸孔２２ｂの下端部、すなわち基礎床１まで達する。
【００７９】
そして、接着剤Ｇは、そこから基礎床１とベースプレート２１の下面の間の隙間を伝って、ベースプレート２１の中央部から放射状に広がって行き、ベースプレート２１の周縁部まで達する（図９（ｂ）参照）。
【００８０】
このとき、ベースプレート２１には、図３及び図４に示すように、中央凹部２１ａ及び放射凹部２１ｂが形成されているため、これら中央凹部２１ａと放射凹部２１ｂのベースプレート２１の下面側に形成された凹形状の空間部分に接着剤Ｇが流れ込んで、この凹形状の空間部分に沿って流れることにより、接着剤Ｇがベースプレート２１の周縁部まで広がり易くなっている。
【００８１】
また、ベースプレート２１の板部分には、図３及び図４に示すように、確認窓部２１ｃが形成されており、作業者がこれをベースプレート２１の上面側から目で見て確認することによって、十分な量の接着剤Ｇが注入されたかどうか、注入した接着剤Ｇがベースプレート２１の確認窓部２１ｃの位置まで広がっているかどうかを容易に判断できるようになっている。
【００８２】
これと同時に、注入された接着剤Ｇは、調整台２４の上側部材２５の上ボス部２５ａの軸孔から、下側部材２６の下ボス部２６ａの軸孔を通って、下側部材２６の下ボス部２６ａにネジ結合された脚部２０の支柱２２の上端部に達し、下側部材２６の下ボス部２６ａと脚部２０の支柱２２がネジ結合するネジ結合部の上端部から、下側部材２６と支柱２２の間の隙間にも流れ込む（図９（ｂ）参照）。
【００８３】
このとき、支柱２２には、図４に示すように、その上端部寄りの位置に水平孔２２ｃが形成されているため、軸孔２２ｂに流れ込んだ接着剤Ｇが、この水平孔２２ｃを通って下側部材２６の下ボス部２６ａの内側の側面に達し、この部分からも上記ネジ結合部のそれぞれの部材の間の隙間に流れ込むため、水平孔２２ｃが形成されていないものより、接着剤Ｇが上記ネジ結合部に流れ込み易くなっている。
【００８４】
そして、注入した接着剤Ｇが硬化することによって、支持脚２が基礎床１の上の設置位置から移動しないように、支持脚２のベースプレート２１が支持床１に固定されると同時に、調整台２４と脚部２０のネジ結合部にガタツキが生じたり、これらのネジ結合部が緩んだりしないように、これらのネジ結合部が固定されるようになっている。
【００８５】
このように本実施の形態に係るフリーアクセスフロアパネルの支持脚１８を用いることにより、フリーアクセスフロアの施工作業において、接着剤を使用して支持脚の各部を固定する作業を一工程で行うことにより、作業の効率を向上させることができる。
【００８６】
なお、本発明は、前記一実施の形態のみに限定されるものではなく、本発明の目的を達成することができる範囲内であれば、種々の変更が可能である。
【００８７】
例えば、前記一実施の形態にかかるフリーアクセスフロアパネルの支持脚１８においては、支持脚１８の脚部２０のベースプレート２１は、平面形状が略正方形の板状に形成されていたが、ベースプレート２１の平面形状は正方形以外の他の形状に形成されていてもよい。
【００８８】
また、前記一実施の形態にかかるフリーアクセスフロアパネルの支持脚１８においては、図４に示すように、支持脚１８の脚部２０のベースプレート２１の下面は、基礎床１の面に平行に形成されていたが、脚部２０を基礎床１の上に設置した際のガタツキを防止するための接着剤Ｇがベースプレート２１の周縁部へと流れ易くなるように、ベースプレート２１の下面を、その中央部の高さ位置が周縁部の高さ位置に比べてわずかに上方に位置させるように、ベースプレート２１を上方に凸形状に形成してもよい。
【００８９】
また、前記一実施の形態にかかるフリーアクセスフロアパネルの支持脚１８においては、支持脚１８の脚部２０のベースプレート２１には、平面形状が円形の中央凹部２１ａが形成されていたが、中央凹部２１ａは円形以外の形状に形成されていてもよく、また、中央凹部２１ａが形成されていなくてもよい。
【００９０】
また、前記一実施の形態にかかるフリーアクセスフロアパネルの支持脚１８においては、支持脚１８の脚部２０のベースプレート２１には、ベースプレート２１の中央部から四隅部に向って放射状に伸びる４つの放射凹部２１ｂが形成されていたが、放射凹部２１ｂはベースプレート２１の四隅部以外の周縁部に向って形成されていてもよく、また、放射凹部２１ｂの数は４つより多くてもよいし、４つより少なくてもよい。また、放射凹部２１ｂが形成されていなくてもよい。
【００９１】
また、前記一実施の形態にかかるフリーアクセスフロアパネルの支持脚１８においては、支持脚１８の脚部２０のベースプレート２１には、４つの確認窓部２１ｃが、ベースプレート２１の４つの辺部のそれぞれの中央部の近傍に形成されていたが、確認窓部２１ｃはベースプレート２１の他の位置に形成されていてもよく、また、確認窓部２１ｃの数は４つより多くてもよいし４つより少なくてもよい。また、確認窓部２１ｃが形成されていなくてもよい。
【００９２】
また、前記一実施の形態にかかるフリーアクセスフロアパネルの支持脚１８においては、図４に示すように、支持脚１８の脚部２０の支柱２２は、その下端部がベースプレート２１の中央部を貫通した状態で、ベースプレート２１に固定されていたが、接着剤の導入経路が脚部の下端部まで連通して形成されていればよいので、例えば、ベースプレート２１の中央部に支柱２２の軸孔２２ｂの径より小さな径の貫通孔を形成すると共に、支柱２２の下端部がベースプレート２１の上面に当接するように配置され、ベースプレート２１の貫通孔と支柱２２の軸孔２２ｂが連通するように、ベースプレート２１に固定されていてもよい。
【００９３】
また、前記一実施の形態にかかるフリーアクセスフロアパネルの支持脚１８においては、図４（ａ）に示すように、支持脚１８の脚部２０の支柱２２には、その上端部寄りの位置に２つの水平孔２２ｃ，２２ｃが形成されていたが、支柱２２に形成される水平孔２２ｃの数は１つでもよいし、３つ以上形成されていてもよい。
【００９４】
また、前記一実施の形態にかかるフリーアクセスフロアパネルの支持脚１８においては、支持脚１８の脚部２０の支柱２２は、その下端面の軸線方向の高さ位置がベースプレート２１の下面より上方に配置されるように、ベースプレート２１に結合されていたが、より接着剤Ｇがベースプレート２１の中央凹部２１ａへと流れ易くなるように、支柱２２の下端面に、例えばその半径方向に伸びて軸孔２２ｂと支柱２２の外側とを連通する溝のような、凹形状の連通部を形成してもよい。
【００９５】
また、前記一実施の形態にかかるフリーアクセスフロアパネルの支持脚１８においては、支持脚１８の調整台２４の上側部材２５の上ボス部２５ａにオネジ部２５ｃが形成され、これに対応するパネル固定部材３０の筒部３０ａにメネジ部３０ｃが形成されて、これらのネジ部がネジ結合されていたが、図１０に示すような従来のフリーアクセスフロアパネルの支持脚２のように、支持脚１８の調整台２４の上側部材２５の上ボス部２５ａの中心孔の内側にメネジ部が形成され、これに対応するパネル固定部材３０には筒部３０ａのメネジ部の代わりに、オネジ部が形成された軸部が形成され、これらがネジ結合されるようにしてもよい。
【符号の説明】
【００９６】
１  基礎床
２  支持脚
３  フリーアクセスフロア構造
４  フロアパネル
４ａ  段差部
６  天板
６ａ  上面
８  底板
８ａ  底面
８ｂ  側板部
８ｃ  フランジ部
１０  補強部材
１２  脚部
１２ａ  ベースプレート
１２ｂ  支柱
１２ｃ  オネジ部
１４  調整台
１４ａ  下ボス部
１４ｂ  上ボス部
１４ｃ  パネル支持部
１４ｄ  メネジ部
１４ｅ  メネジ部
１４ｆ  ネジ孔
１４ｇ  支持面
１５  高さ固定ボルト
１６  パネル固定部材
１６ａ  皿頭部
１６ｂ  軸部
１６ｃ  オネジ部
１６ｄ  工具係合部
１８  支持脚
２０  脚部
２１  ベースプレート
２１ａ  中央凹部
２１ｂ  放射凹部
２１ｃ  確認窓部
２２  支柱
２２ａ  オネジ部
２２ｂ  軸孔
２２ｃ  水平孔
２４  調整台
２５  上側部材
２５ａ  上ボス部
２５ｂ  パネル支持部
２５ｃ  オネジ部
２５ｄ  縁部
２５ｅ  支持面
２６  下側部材
２６ａ  下ボス部
２６ｂ  受板部
２６ｃ  メネジ部
２６ｄ  縁部
２６ｅ  ネジ孔
２８  高さ固定ボルト
３０  パネル固定部材
３０ａ  皿頭部
３０ｂ  筒部
３０ｃ  メネジ部
３０ｄ  工具係合部
Ｇ  接着剤
Ｇ１  接着剤
Ｇ２  接着剤
【図１】
2019167700.tif 000003
【図２】
2019167700.tif 000004
【図３】
2019167700.tif 000005
【図４】
2019167700.tif 000006
【図５】
2019167700.tif 000007
【図６】
2019167700.tif 000008
【図７】
2019167700.tif 000009
【図８】
2019167700.tif 000010
【図９】
2019167700.tif 000011
【図１０】
2019167700.tif 000012
【図１１】
2019167700.tif 000013
【図１２】
2019167700.tif 000014
【図１３】
2019167700.tif 000015